(57)【要約】【課題】ＡＶネットワークデジタル受信機において、複数のデジタル信号に対して同時に非多重化処理を行い、異なる信号として出力する際の接続モデルが複雑であり、情報管理及び外部機器からの制御手順が複雑である。【解決手段】接続モデルにおいて、複数のデマックスデスティネーションプラグを持つひとつのチューナサブユニットを用いて情報を開示することによって情報管理及び外部機器からの制御手順を簡略化する。【選択図】  図１
2004241966.tif 000002
【特許請求の範囲】
【請求項１】
アンテナからのデジタル信号を入力し同調するデジタル信号同調部と、前記デジタル信号同調部によって同調された同調信号を非多重化する信号非多重化部と、前記信号非多重化部によって非多重化された非多重化信号をＡＶネットワークに出力またはＡＶネットワークから既に同調された同調信号を入力するＡＶネットワーク入出力部と、前記同調信号及び非多重化信号を保存し入出力する信号記憶部とを備えることを特徴とするＡＶネットワークデジタル受信機。
【請求項２】
前記信号非多重化部は、複数系統の入力信号を同時に非多重化し、複数の出力信号を同時に出力することを特徴とする請求項１記載のＡＶネットワークデジタル受信機。
【請求項３】
接続モデルが複数のデマックスデスティネーションプラグを持つ単一のチューナサブユニットによって構成され、ディスクリプタにおいて前記複数のデマックスデスティネーションプラグとソースプラグとの接続状態を開示し、ＤＳＩＴコマンドによって前記複数のデマックスデスティネーションプラグに対する選局が可能であることを特徴とする請求項２記載のＡＶネットワークデジタル受信機。
【請求項４】
ＡＶネットワークとはＩＥＥＥ１３９４技術を用いたネットワークであり、接続モデルとはＩＥＥＥ１３９４規格において定められるユニット、サブユニット、ソースプラグ、デスティネーションプラグを用いて自身の信号の流れを外部機器に対して開示するモデルであることを特徴とする請求項３記載のＡＶネットワークデジタル受信機。
【発明の詳細な説明】
【０００１】
【発明の属する技術分野】
本発明は、ＩＥＥＥ１３９４ネットワーク上で同調信号による複数入力及び同調信号から得られる複数出力を同時に制御し、接続モデル上でそれらの信号経路を、複数のデスティネーションプラグを有するひとつのチューナサブユニットで開示するＡＶネットワークデジタル受信機に関するものである。
【０００２】
ここで接続モデルとは、ＩＥＥＥ１３９４規格において定められるユニット、サブユニット、ソースプラグ、デスティネーションプラグを用いて自身の信号の流れを表現し、それらの情報を外部機器に対してＣＯＮＮＥＣＴコマンド、ＣＯＮＮＥＣＴＩＯＮＳコマンド、ＰＬＵＧ  ＩＮＦＯコマンド、ＵＮＩＴコマンド、ＳＵＢＵＮＩＴコマンドに対するレスポンスを介して開示できる１３９４ネットワーク上の仮想モデルである。
【０００３】
なお、以降の１３９４に関する技術内容は、［１］ＩＥＥＥ  Ｓｔｄ  １３９４−１９９５、Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ、［２］ＩＥＣ６１８８３、Ｃｏｎｓｕｍｅｒ  ａｕｄｉｏ／ｖｉｄｅｏ  ｅｑｕｉｐｍｅｎｔ−Ｄｉｇｉｔａｌ  Ｉｎｔｅｒｆａｃｅ、［３］１３９４  Ｔｒａｄｅ  Ａｓｓｏｃｉａｔｉｏｎ  ｄｏｃｕｍｅｎｔ  ｎｕｍｂｅｒ  １９９８００３、ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ、Ｖｅｒｓｉｏｎ３．０、［４］１３９４  Ｔｒａｄｅ  Ａｓｓｏｃｉａｔｉｏｎ  ｄｏｃｕｍｅｎｔ  ｎｕｍｂｅｒ  １９９９０３５、ＡＶ／Ｃ  Ｔｕｎｅｒ  Ｓｕｂｕｎｉｔ  Ｍｏｄｅｌ  ａｎｄ  Ｃｏｍｍａｎｄ  Ｓｅｔ、Ｖｅｒｓｉｏｎ２．０、［５］１３９４  Ｔｒａｄｅ  Ａｓｓｏｃｉａｔｉｏｎ  ｄｏｃｕｍｅｎｔ  ｎｕｍｂｅｒ  １９９８００５、ＡＶ／Ｃ  Ｔｕｎｅｒ  Ｂｒｏａｄｃａｓｔ  Ｓｙｓｔｅｍ  Ｓｐｅｃｉｆｉｃａｔｉｏｎ  −  ＤｉｇｉｔａｌＶｉｄｅｏ  Ｂｒｏａｄｃａｓｔ（ＤＶＢ）、Ｖｅｒｓｉｏｎ１．０、［６］１３９４  Ｔｒａｄｅ  Ａｓｓｏｃｉａｔｉｏｎ  ｄｏｃｕｍｅｎｔ  ｎｕｍｂｅｒ  １９９９００３，Ｅｎｈａｎｃｅｍｅｎｔｓ  ｔｏ  ｔｈｅ  ＡＶ／Ｃ  Ｔｕｎｅｒ  Ｂｒｏａｄｃａｓｔ  Ｓｙｓｔｅｍ  Ｓｐｅｃｉｆｉｃａｔｉｏｎ−  Ｄｉｇｉｔａｌ  Ｖｉｄｅｏ  Ｂｒｏａｄｃａｓｔ（ＤＶＢ），Ｖｅｒｓｉｏｎ１．０、に基づき記述する。
【０００４】
【従来の技術】
従来のＡＶネットワークデジタル受信機は、ひとつのデジタル信号に対して非多重化処理を行い、ひとつの出力信号としてＡＶネットワークに出力する機能を備えている（例えば、特許文献１参照）。
【０００５】
図３に従来のＡＶネットワークデジタル受信機のブロック図を示す。図３において６は従来のＡＶネットワークデジタル受信機、１０はデジタル信号を送出するデジタルアンテナ、２は１０による信号を入力し同調した信号を出力するデジタル信号同調部である。７は２及び８のＡＶネットワーク入出力部及び５の信号記憶部からの出力を入力し非多重化した信号を出力する信号非多重化部であり、同時に１系統の信号に対してのみの非多重化処理を行うため、入力口及び出力口ともにひとつずつ所有する。２０は３０のＡＶネットワーク上のＡＶネットワーク外部機器であり、８のＡＶネットワーク入出力部は７の出力を入力し３０に出力する他、２０による信号を入力し５の信号記憶部及び７に出力する。５の信号記憶部は、２または８の出力を入力し信号を記憶する。信号記憶部は複数存在してもよい。図３ではひとつの場合を示す。また９は、２または５または８からの出力のうち、どれかひとつの信号を７へ入力する切り替えスイッチである。
【０００６】
また、図３のブロック図で表される従来のＡＶネットワークデジタル受信機を接続モデル化する際、ひとつのチューナサブユニットが複数のデマックスデスティネーションプラグを有することは前記記載の規格書［４］によって禁じられていた。よって、従来のＡＶネットワークデジタル受信機に対応する接続モデルは、将来の複数同時多重化機能の拡張を考慮に入れると図４の様にチューナサブユニットを複数持たねばならず、自身による管理及び外部機器による制御の手順が複雑となる欠点があった。
【０００７】
図４において、１００は６のＡＶネットワークデジタル受信機自身を表現するユニット、２００及び４００及び５００は２のデジタル信号同調部及び７の信号非多重化部の機能を併せ持つチューナサブユニット、３００は５の信号記憶部を表現するサブユニットである。
【０００８】
また、１０１は１００のシリアル入力プラグ、１０２は１００の外部入力プラグであり、１０１は３０のＡＶネットワークからのデジタル信号入力を許し、１０２は１０のデジタルアンテナからのデジタル信号入力を許す。１１１、１１２、１１３は１００のシリアル出力プラグであり、３０への信号出力を許す。
【０００９】
また、２０１、４０１、５０１はそれぞれ２００、４００、５００のアンテナデスティネーションプラグであり、１０２を通じて１０からのデジタル信号入力を許す。２０２、４０２、５０２はそれぞれ２００、４００、５００のデマックスデスティネーションプラグであり、３１１を通じて３００からの信号入力を、または１０１を通じて３０からのデジタル信号入力を許す。
【００１０】
また、３０１は３００のデスティネーションプラグであり、１０１を通じて３０からのデジタル信号入力を、または１０２を通じて１０からのデジタル信号入力を許す。４０は、３０または１０からの出力のうち、どれかひとつの信号を３００へ入力する切り替えスイッチである。また、２１１、４１１、５１１、３１１はそれぞれ２００、４００、５００、３００のソースプラグであり、それぞれ２００、４００、５００、３００が処理する信号の出力を許す。
【００１１】
【特許文献１】
特開２００１−１０３３９３号公報
【００１２】
【発明が解決しようとする課題】
しかしながらこの従来のＡＶネットワークデジタル受信機は、発生源が異なる複数のデジタル信号に対して同時に非多重化処理を行い、異なる出力信号としてＡＶネットワークに出力する機能を備えていない。よってＡＶネットワークの技術が発展し、異なる複数の信号を同時にＡＶネットワーク上の機器に伝送できる背景が整った場合でも、その機能を利用できない不具合が生じる。
【００１３】
また、従来の接続モデルにおいては、ひとつのチューナサブユニットにつき高々ひとつのデマックスデスティネーションプラグしか持つことができないため、ＡＶネットワークデジタル受信機が複数の信号に対して個々に非多重化を行う場合、接続モデル上では信号の数だけチューナサブユニットが必要となる。
【００１４】
これによって、接続モデルに付随する情報の管理が複雑になると同時に、外部に接続される他のＡＶネットワーク機器は接続モデルから得られる情報を基にＡＶネットワークデジタル受信機に対して制御を行うため、個々のチューナサブユニットに同じ内容の情報問い合わせをしなくてはならず制御の手順が複雑になり、他のＡＶネットワーク機器との接続時の動作に不具合が生じる可能性がある。
【００１５】
本発明は、上記問題点を解決するもので、異なるデジタル信号に対して同時に非多重化を行い異なる出力信号としてＡＶネットワークに出力することで、ＡＶネットワークの持つ機能を有効に利用することを可能とし、また、接続モデルにおいてひとつのチューナサブユニットが複数のデマックスデスティネーションプラグを持ち、複数信号に対して個々に非多重化をする場合でも接続モデルでは単一のチューナサブユニットで表現することによって、自身によるチューナサブユニット情報の管理及び他のＡＶネットワーク機器による制御の複雑さの軽減をすることが可能なＡＶネットワークデジタル受信機を提供することを目的とする。
【００１６】
【課題を解決するための手段】
上記課題を解決するため、本発明のＡＶネットワークデジタル受信機は、アンテナからのデジタル信号を入力し同調するデジタル信号同調部と、前記デジタル信号同調部によって同調された同調信号の他、異なる複数の信号を同時に非多重化する信号非多重化部と、前記信号非多重化部によって非多重化された異なる複数の非多重化信号をＡＶネットワークに異なる信号として出力またはＡＶネットワークから既に同調された同調信号を入力するＡＶネットワーク入出力部と、前記同調信号及び非多重化信号を保存し任意の時期に入出力する信号記憶部とを備えた構成を有し、これに対する接続モデルは、ＡＶネットワークデジタル受信機自身を表現し複数の入力プラグと複数の出力プラグを持つユニットと、ひとつのアンテナデスティネーションプラグと複数のデマックスデスティネーションプラグとを持つひとつのチューナサブユニットと、ひとつのデスティネーションプラグとひとつのソースプラグとを持つサブユニットとを備えた構成を有している。
【００１７】
この構成において異なる複数のデジタル信号を同時に非多重化し異なる出力信号としてＡＶネットワークに出力することで、ＡＶネットワークが持つ異なる複数の信号に対する伝送処理能力を利用することを可能とし、また、ひとつのチューナサブユニットにおいて複数信号の同時非多重化処理を行い複数の非多重化信号を出力する接続モデルを構築し、チューナサブユニットの管理情報のひとつであるステイタスディスクリプタにおいて非多重化信号を出力するソースプラグと非多重化信号の源となる入力信号を入力するアンテナデスティネーションプラグまたはデマックスデスティネーションプラグとを対応付けることで、自身による接続モデルに付随する情報の管理を容易にすることを可能とし、また外部機器による制御手順を単純にすることを可能とすることを特徴とするものである。
【００１８】
【発明の実施の形態】
図１は、本発明のＡＶネットワークデジタル受信機のブロック図であり、図２は本発明のＡＶネットワークデジタル受信機の接続モデルである。以下、図１及び図２を用いて、本発明のＡＶネットワークデジタル受信機が有する機能及び構成を説明する。
【００１９】
図１において、１はＡＶネットワークデジタル受信機であり、デジタルアンテナ１０からの信号を入力すると同時にＡＶネットワーク３０を通して他のＡＶネットワーク外部機器２０または２１または２２に信号を入出力する構成である。
【００２０】
デジタル信号同調部２はデジタルアンテナ１０の出力信号を入力し、同調した信号を出力する。信号非多重化部３はデジタル信号同調部２の出力及びＡＶネットワーク入出力部４の出力及び信号記憶部５の出力を入力し、非多重化した信号を出力する。このときこれらの入力信号は信号非多重化部３内部で個々の信号として独立に非多重化され、ＡＶネットワーク入出力部４には独立した信号として出力される。
【００２１】
ＡＶネットワーク入出力部４は信号非多重化部３の出力を独立に入力しＡＶネットワーク３０に独立した信号として出力する他、ＡＶネットワーク３０を通して他のＡＶネットワーク外部機器２０または２１または２２の出力信号を入力し、信号非多重化部３や信号記憶部５に出力する。また、信号記憶部５はデジタル信号同調部２の出力及びＡＶネットワーク入出力部４の出力を蓄積する他、蓄積信号を信号非多重化部３に出力する。
【００２２】
また図２の接続モデルにおいてユニット１００は、シリアル入力プラグ１０１を通してＡＶネットワーク３０から信号を入力する他、外部入力プラグ１０２を通してデジタルアンテナ１０の信号を入力し、シリアル出力プラグ１１１、１１２、１１３を通してＡＶネットワーク３０へ信号を出力し、外部出力プラグ１１１４を通して非ＡＶネットワーク機器５０へ信号を出力する。
【００２３】
ユニット１００は接続モデル上でＡＶネットワークデジタル受信機１自身を表現する。シリアル入力プラグ１０１、外部入力プラグ１０２はユニット１００が持つ入力プラグであり、ユニットへの入力は全てこれらの入力プラグのうちどれかを通して入力される。シリアル出力プラグ１１１、１１２、１１３、外部出力プラグ１１４はユニット１００が持つ出力プラグであり、ユニット１００からの出力は全てこれらの出力プラグのうちどれかを通して出力される。
【００２４】
またチューナサブユニット２００は、外部入力プラグ１０２と結線するアンテナデスティネーションプラグ２０１を通してデジタルアンテナ１０の信号を入力し、またサブユニット３００のソースプラグ３１１と結線するデマックスデスティネーションプラグ２０２を通してサブユニット３００が蓄積する蓄積信号を入力し、またシリアル入力プラグ１０１と結線するデマックスデスティネーションプラグ２０３を通してＡＶネットワーク３０からの信号を入力した後、それらの信号に対して非多重化を行い、シリアル出力プラグ１１１、１１２、１１３と結線するソースプラグ２１１、２１２、２１３を通してＡＶネットワーク３０に出力する。
【００２５】
また同時にこれら非多重化信号は、外部出力プラグ１１４と結線するソースプラグ２１１または２１２または２１３を通して非ＡＶネットワーク機器５０に出力される。図２ではソースプラグ２１１が外部出力プラグ１１４と結線する例を示す。アンテナデスティネーションプラグ２０１及びデマックスデスティネーションプラグ２０２、２０３はチューナサブユニット２００が持つ入力プラグであり、チューナサブユニット２００への入力は全てこれらの入力プラグのうちどれかを通して入力される。
【００２６】
ソースプラグ２１１、２１２、２１３はチューナサブユニット２００が持つ出力プラグであり、チューナサブユニット２００からの出力は全てこれらの出力プラグのうちどれかを通して出力される。またサブユニット３００は、外部入力プラグ１０１またはシリアル入力プラグ１０２と結線するデスティネーションプラグ３０１を通してデジタルアンテナ１０の信号またはＡＶネットワーク３０からの信号を入力した後、内部に蓄積し、チューナサブニット２００のデマックスデスティネーションプラグ２０２と結線するソースプラグ３１１を通してチューナサブユニット２００に出力する。デスティネーションプラグ３０１はサブユニット３００が持つ入力プラグであり、サブユニット３００への入力は全てこの入力プラグを通して入力される。
【００２７】
サブユニット３００のソースプラグ３１１はサブユニット３００が持つ出力プラグであり、サブユニット３００からの出力は全てこの出力プラグを通して出力される。また、スイッチ４０はサブユニット３００への入力信号を切り替える切り替えスイッチであり、サブユニット３００に対しひとつまたは０の入力信号を選択する。
【００２８】
このときチューナサブユニット２００は、自身のソースプラグが内部結線するデスティネーションプラグのプラグ番号を、チューナステイタスディスクリプタを用いて開示する。これは、チューナステイタスディスクリプタ上、ｓｏｕｒｃｅ＿ｐｌｕｇ＿ｓｔａｔｕｓ［ｉ］．ｒｅｓｅｒｖｅｄフィールドに７ビットで明記する。これによって外部機器は、ソースプラグの出力信号がどのデスティネーションプラグから入力しているかを知ることが可能になる。
【００２９】
また、チューナサブユニット２００に対し外部機器が選局を要求するに用いるＤＳＩＴコマンドにおいて、選局する信号が通過するデスティネーションプラグのプラグ番号を、ａｎｔｅｎｎａ＿ｎｕｍｂｅｒフィールドに７ビットで明記する。これによって、外部機器は選局要求を全てのデスティネーションプラグに対して行うことが可能になる。
【００３０】
以下、具体的な動作を説明する。
【００３１】
ＡＶネットワークデジタル受信機１が、同時多重化処理機能を持つＡＶネットワーク機器のうち、内蔵ハードディスクを備えるセットトップボックス（以下ＳＴＢと称す）であり、ＡＶネットワーク外部機器２０がＨＤＤレコーダ２０であり、ＡＶネットワーク外部機器２１がＤＶＨＳであり、ＡＶネットワーク外部機器２２がＤＶＤプレーヤーであるとする。
【００３２】
そして、ＡＶネットワークデジタル受信機１が、デジタルアンテナ１０の信号を非多重化しＡＶネットワーク３０上のＡＶネットワーク機器であるＨＤＤレコーダ２０に出力する録画機能と、内蔵ハードディスクが蓄積する信号を非多重化しＡＶネットワーク３０上のＡＶネットワーク機器であるＤＶＨＳ２１に出力するダビング機能と、ＡＶネットワーク３０上のＡＶネットワーク機器であるＤＶＤプレーヤー２２が出力する信号を入力及び非多重化し非ＡＶネットワーク機器であるモニタ５０に出力するシリアル入力視聴機能とを持っているとする。これらの機能を同時に用いる際には、録画のための信号と、ダビングのための信号と、シリアル入力視聴のための信号とは、それぞれ独立に非多重化され、独立の非多重化信号として出力する必要がある。
【００３３】
また、ＨＤＤレコーダ２０及びＤＶＨＳ２１による選局要求に答える必要がある。このとき図１のブロック図の構成を持つことで、録画のための信号をデジタル信号同調部２から取りだし、ダビングのための信号を信号記憶部５から取りだし、シリアル入力視聴のための信号をＡＶネットワーク入出力部４から取りだし、それぞれ独立に信号非多重化部３で非多重化し、ＡＶネットワーク出力部４に出力することが実現できる。
【００３４】
また、図２の接続モデルにおいては、サブユニット３００をディスクサブユニットとして表現する。このときＨＤＤレコーダ２０がアンテナ信号の選局を要求する際には、チューナサブユニットがひとつしか存在しないため、出力を取り出すソースプラグと結線しているデスティネーションプラグを確認するためのステイタスディスクリプタの開示要求は１度でよく、個々のチューナサブユニットに開示要求を出す場合より、制御の手順が簡略になる。
【００３５】
また同様にＤＶＨＳ２１が出力を取り出すソースプラグと結線しているデスティネーションプラグを確認する際にも、チューナステイタスディスクリプタのｓｏｕｒｃｅ＿ｐｌｕｇ＿ｓｔａｔｕｓ［２］．ｒｅｓｅｒｖｅｄフィールドの値を確認することで結線先のプラグが複数のデマックスデスティネーションプラグであっても正しい情報を得ることができる。加えてＤＶＨＳ２１がチューナサブユニット２００に対してダビングしたい信号の選局要求を行う際にも、ＤＳＩＴコマンドの７ビットのａｎｔｅｎｎａ＿ｎｕｍｂｅｒフィールドにステイタスディスクリプタで確認したデスティネーションプラグの番号を設定することで、複数のデマックスデスティネーションプラグに対する選局が可能となる。
【００３６】
以上のように、本発明のＡＶネットワークデジタル受信機では、複数の異なる信号を同時に非多重化し異なる信号として出力することによって、ＡＶネットワークが備える伝送能力を有効に利用できる効果を得ることができ、またその接続モデルを複数のデスティネーションプラグを持つひとつのチューナサブユニットで表現することによって、チューナサブユニットの情報の管理及び外部機器による制御を容易にする効果を得ることができる。
【００３７】
また、チューナサブユニットのソースプラグから出力される信号の情報の取得、及びチューナサブユニットのデスティネーションプラグから入力される信号の選局は、ステイタスディスクリプタ及びＤＳＩＴコマンドのフィールドを新たに利用することによって可能である。
【００３８】
なお、以上の説明では、本発明のＡＶネットワークデジタル受信機がＳＴＢであり、内蔵する信号源がハードディスクである形態を説明したが、同様に複数の異なる信号を非多重化する機能を持ち、他の信号源を内蔵するＡＶネットワーク制御機器に本発明の機能を組みこんでも、同様に実施可能である。
【００３９】
【発明の効果】
以上のように、本発明のＡＶネットワークデジタル受信機では、発生源が異なる複数のデジタル信号に対して同時に非多重化処理を行い、異なる出力信号としてＡＶネットワークに出力することによってＡＶネットワークが持つ機能を有効に利用できる効果を得ることができ、また、そのときの接続モデルにおいてひとつのチューナサブユニットが複数のデマックスデスティネーションプラグを持つことで複数信号に対して個々に非多重化をする場合でも接続モデルでは単一のチューナサブユニットで表現することによって、自身によるチューナサブユニット情報の管理、外部機器による制御を容易にする効果を得ることができる。
【図面の簡単な説明】
【図１】本発明のＡＶネットワークデジタル受信機を示すブロック図
【図２】本発明のＡＶネットワークデジタル受信機に対する接続モデル図
【図３】従来のＡＶネットワーク受信機を示すブロック図
【図４】従来のＡＶネットワーク受信機に対する接続モデル図
【符号の説明】
１、６  ＡＶネットワークデジタル受信機
２  デジタル信号同調部
３、７  信号非多重化部
４、８  ＡＶネットワーク入出力部
５  信号記憶部
９、４０  切り替えスイッチ
１０  デジタルアンテナ
２０、２１、２２  ＡＶネットワーク外部機器
３０  ＡＶネットワーク
５０  非ＡＶネットワーク機器
１００  ユニット
１０１  シリアル入力プラグ
１０２  外部入力プラグ
１１１、１１２、１１３  シリアル出力プラグ
１１４  外部出力プラグ
２００、４００、５００  チューナサブユニット
２０１、４０１、５０１  アンテナデスティネーションプラグ
２０２、２０３、４０２、５０２  デマックスデスティネーションプラグ
２１１、２１２、２１３、３１１、４１１，５１１  ソースプラグ
３００  サブユニット
３０１  デスティネーションプラグ
【図１】
2004241966.tif 000003
【図２】
2004241966.tif 000004
【図３】
2004241966.tif 000005
【図４】
2004241966.tif 000006